(57)【要約】【課題】本発明の課題は、掻込ベルトのラグの姿勢が常に機体進行方向に沿うように設定することで、穀稈に作用する負担を軽くし、持ち回りなくなく整然と合流させて、次の搬送行程に引き継がせる。【解決手段】左右の引起し装置（１３Ｌ，１３Ｒ）のうち少なくとも一方側の引起し装置（１３Ｒ）に横搬送域（Ｋ１）を設けてあるコンバインの刈取装置において、左右の引起し装置の背部から後方に掻込搬送して刈刃（１４）の後部で合流させる左右の掻込ベルト（１６Ｌ，１６Ｒ）を設け、平面視における左右の掻込ベルト（１６Ｌ，１６Ｒ）に植設されたラグ（１５）の姿勢を掻込搬送経路全域において機体進行方向に沿う姿勢に設定する。【選択図】図６
2019092467.tif 000002
【特許請求の範囲】
【請求項１】
左右の引起し装置（１３Ｌ，１３Ｒ）のうち少なくとも一方側の引起し装置（１３Ｒ）に横搬送域（Ｋ１）を設けてあるコンバインの刈取装置において、穀稈を前記左右の引起し装置の背部から後方に掻込搬送して刈刃（１４）の後部で合流させる左右の掻込ベルト（１６Ｌ，１６Ｒ）を設け、平面視における前記左右の掻込ベルト（１６Ｌ，１６Ｒ）に植設されたラグ（１５）の姿勢を、掻込搬送経路全域において機体進行方向に沿う姿勢に設定してあることを特徴とするコンバインの刈取装置。
【請求項２】
前記掻込ベルト（１６Ｌ，１６Ｒ）の下側に、分草幅内の外側部位から穀稈を導入案内して該掻込ベルトの掻込搬送圏内に案内する掻込ガイド片（２３Ｌ，２３Ｒ）を配置してある請求項１記載のコンバインの刈取装置。
【請求項３】
前記掻込ベルト（１６Ｌ，１６Ｒ）のラグ先端軌跡の前端部が、前記掻込ガイド片（２３Ｌ，２３Ｒ）の作用開始点よりも前側に配置された請求項２記載のコンバインの刈取装置。
【請求項４】
前記横搬送域（Ｋ１）を有する一方側の引起し装置（１３Ｒ）の背部の掻込ラグ（１５）先端軌跡を、他方側の引起し装置（１３Ｌ）側の掻込ラグ（１５）先端軌跡よりも前方に配置してある請求項１又は請求項２又は請求項３記載のコンバインの刈取装置。
【請求項５】
平面視において、前記横搬送域（Ｋ１）を有する一方側の引起し装置（１３Ｒ）側の前記掻込ベルト（１６Ｒ）の掻込作用側軌跡が、横搬送域を有しない他方側の引起し装置（１３Ｌ）側の掻込作用側軌跡よりも進行方向に対する傾斜角度（θ１）が小さくなる構成とした請求項１又は請求項２又は請求項３又は請求項４記載のコンバインの刈取装置。
【発明の詳細な説明】
【技術分野】
【０００１】
この発明は、コンバインの刈取装置に関する。
【背景技術】
【０００２】
従来、コンバインの刈取装置における引起し装置の背部には、左右の掻込ベルトが設けられており、この掻込ベルトのラグは、平面視において、機体の進行方向に対して傾斜した姿勢であった。（例えば、特許文献１参照）
【先行技術文献】
【特許文献】
【０００３】
【特許文献１】特開２０１３−１５８３０３号公報
【発明の概要】
【発明が解決しようとする課題】
【０００４】
上記従来構成のものでは、左右の引起し装置の背部から掻込作用を開始し、刈刃後方まで掻き込んで合流させるが、掻込作用側では掻込ラグにかかる負荷が大きく、特に終端側では持ち回りするような事態も発生して常時整然とした掻込搬送作用が期待できない場合があった。
【０００５】
本発明は、平面視における掻込ベルトのラグの姿勢が常に機体進行方向に沿うように略同角度になるよう設定することで、穀稈に作用する負担を軽くし、持ち回りなくなく整然と合流させて、次の搬送行程に引き継がせる装置を具現することを目的とする。
【課題を解決するための手段】
【０００６】
すなわち、請求項１記載の本発明は、左右の引起し装置（１３Ｌ，１３Ｒ）のうち少なくとも一方側の引起し装置（１３Ｒ）に横搬送域（Ｋ１）を設けてあるコンバインの刈取装置において、穀稈を前記左右の引起し装置の背部から後方に掻込搬送して刈刃（１４）の後部で合流させる左右の掻込ベルト（１６Ｌ，１６Ｒ）を設け、平面視における前記左右の掻込ベルト（１６Ｌ，１６Ｒ）に植設されたラグ（１５）の姿勢を、掻込搬送経路全域において機体進行方向に沿う姿勢に設定してあることを特徴とする。
【０００７】
請求項２記載の本発明は、請求項１において、前記掻込ベルト（１６Ｌ，１６Ｒ）の下側に、分草幅内の外側部位から穀稈を導入案内して該掻込ベルトの掻込搬送圏内に案内する掻込ガイド片（２３Ｌ，２３Ｒ）を配置してある。
【０００８】
請求項３記載の本発明は、請求項２において、前記掻込ベルト（１６Ｌ，１６Ｒ）のラグ先端軌跡の前端部が、前記掻込ガイド片（２３Ｌ，２３Ｒ）の作用開始点よりも前側に配置された。
【０００９】
請求項４記載の本発明は、請求項１又は請求項２又は請求項３において、前記横搬送域（Ｋ１）を有する一方側の引起し装置（１３Ｒ）の背部の掻込ラグ（１５）先端軌跡を、他方側の引起し装置（１３Ｌ）側の掻込ラグ（１５）先端軌跡よりも前方に配置してある。
【００１０】
請求項５記載の本発明は、請求項１又は請求項２又は請求項３又は請求項４において、平面視において、前記横搬送域（Ｋ１）を有する一方側の引起し装置（１３Ｒ）側の前記掻込ベルト（１６Ｒ）の掻込作用側軌跡が、横搬送域を有しない他方側の引起し装置（１３Ｌ）側の掻込作用側軌跡よりも進行方向に対する傾斜角度（θ１）が小さくなる構成とした。
【発明の効果】
【００１１】
請求項１記載の発明によれば、平面視における掻込ベルトのラグの姿勢が常に機体の進行方向に沿う姿勢に設定されているため、穀稈に対して急姿勢で作用することがなく、掻込負荷を軽減しながら掻込搬送することができ、合流部終端での持ち回りもなく、整然と掻込搬送して合流させることができる。
【００１２】
請求項２記載の発明によれば、請求項１記載の発明の効果に加えて、分草幅内に導入される穀稈は、掻込ガイド片によって外側の分草支持フレーム内にやっと入る穀稈であっても、掻込搬送圏内に確実に導入案内され、掻込終端に至っても持ち回りが阻止される。
【００１３】
請求項３記載の発明によれば、請求項２記載の発明の効果に加えて、穀稈の上部側に、掻込ベルトのラグを先に作用させて掻き込むことができ、穀稈の下部側を後続して掻込ガイド片よって確実に導入案内することができる。
【００１４】
請求項４記載の本発明によれば、請求項１又は請求項２又は請求項３記載の発明の効果に加えて、横搬送域を有する引起し装置側は、分草幅が広く他の引起し側よりも多くの穀稈が導入される場合があるため、この後側の掻込ラグで穀稈を素早くキャッチして後方へ掻込搬送することができる。
【００１５】
請求項５記載の本発明によれば、請求項１又は請求項２又は請求項３又は請求項４記載の発明の効果に加えて、横搬送域を有する引起し装置による横搬送経路に合わせて掻込ベルトにも横送り経路を設けることができ、２条の穀稈が導入されても速やかに横送りしながら後方に向け掻込搬送することができ、掻込作用側軌跡が小角度であっても多量の穀稈を確実に掻込搬送することができる。
【図面の簡単な説明】
【００１６】
【図１】コンバインの側面図
【図２】コンバインの平面図
【図３】引起し装置の正面図
【図４】刈取部の要部の側面図
【図５】同上要部の側面図
【図６】掻込搬送装置の要部の平面図
【図７】掻込搬送装置の平面図
【図８】刈取部の要部の平面図
【発明を実施するための形態】
【００１７】
この発明の実施例を図面に基づき説明する。
【００１８】
図１及び図２は、コンバインの側面図と平面図を示すものであり、左右一対の走行クローラ２を備えた走行車体１上には、後部に脱穀装置（脱穀部）３を、その前方部に刈取部４を設置している。刈取部４の横側部には運転席５、運転席前側のフロント操作ボックス６、運転席左横側のサイド操作ボックス７等からなる運転操作部を備え、更に、その運転操作部の後方には脱穀粒を一時的に貯留するグレンタンク８を装備している。グレンタンク８内の穀物は、排出オーガ９によって機外に排出するようになっている。
【００１９】
フロント操作ボックス６には、左右方向の操作で機体の進行方向を操向制御し、前後方向の操作で刈取部４を昇降制御する操向レバー１０等が設置されている。
【００２０】
刈取部４は、立毛する穀稈を左右に分草する左右の分草具１１Ｌ，１１Ｒ及び中央の中分草具１１Ｃと、分草後の穀稈を引き起す引起しラグ１２を有した左右一対の穀稈引起し装置１３Ｌ，１３Ｒと、引起し後の穀稈を刈り取るバリカン式刈刃装置１４と、刈取後の穀稈を掻込搬送する掻込ラグ１５付掻込ベルト１６及び掻込スターホイル１７等の掻込搬送装置、掻込搬送後の穀稈を脱穀部３に揚上搬送して供給する揚上搬送装置（扱深さ調節用搬送供給装置）１８等からなり、車体１に対して上下に昇降可能に装備している。
【００２１】
刈取部４の未刈地側横側部には、外側方に張り出す分草作用姿勢と機体側に収納する収納姿勢とに切替可能なナローガイド１９が設けられている。
【００２２】
右側（既刈地側）の分草具１１Ｒは、先端側が左内側方又は右外側方に向けて回動するよう分草支持フレーム２０Ｒの途中部に設けた上下方向の縦軸Ｑ回りに回動自在に枢着され、運転位置から手動操作できるようになっている。また、分草具１１Ｒは、引っ張りスプリング２１により常時左内側方（閉じ側）向けて引っ張る構成とされている。
【００２３】
そして、通常の２条刈作業を行う場合は、右側の分草具１１Ｒは閉位置状態にあって、左右の分草具１１Ｌ，１１Ｒと中分草具１１Ｃとの間に１条ずつの穀稈が導入され、左右合わせて２条分の穀稈が刈刃側に分草案内されるようになっている。
【００２４】
また、右分草具１１Ｒを外側方に開いた時は、中分草具１１Ｃと右分草具１１Ｒとの間に２条の穀稈が導入され、中分草具１１Ｃと左分草具１１Ｌとの間に導入される１条の穀稈と合わせて３条の穀稈が導入されるようになっている。
【００２５】
従って、既刈地側の分草幅は、予め未刈地側の分草幅よりも若干広くなるように設定されている。
【００２６】
左右の引起し装置１３Ｌ，１３Ｒのうち、右側（既刈地側）の引起し装置１３Ｒは、引起し始端側に一定距離横搬送する横搬送域Ｋ１が構成され、左右２つの輪体２２，２２間を常時２つの引起しラグ１２が下向きで横移動するようになっている。
【００２７】
引起し後の穀稈を後方に掻込む左右の掻込ベルト１６Ｌ，１６Ｒは、刈取後の穀稈を掻込む左右の掻込スターホイル１７，１７の上側に同軸として配置し前方広がりのハの字型に配設している。右側の掻込スターホイルを駆動側とし、左側の掻込スターホイルは右側の掻込スターホイルと噛み合って従動回転するようになっている。
【００２８】
掻込ベルト１６Ｌ，１６Ｒの掻込ラグ１５角度は、図６に示すように、平面視で掻込搬送経路全域において機体進行方向に沿う略同角度に設定されている。なお、掻込ベルトのラグ間隔は、引起し装置１３Ｒの横搬送域の引起しラグ間隔より同等以下に設定されている。また、掻込ベルトのラグ長さはラグ間隔よりも大きくしている。
【００２９】
右側の掻込ベルト１６Ｒの先端部には、引起し装置１３Ｒの横搬送域Ｋ１の後側に対応して横送り経路Ｋ２が設けられ、引起し横搬送時の穀稈をキャッチングして横送りしながら斜め後方に掻込搬送するようになっている。
【００３０】
右側の引起し装置１３Ｒの背部の掻込ラグ１５先端軌跡が左側の引起し装置１３Ｌ側の掻込ラグ１５先端軌跡より前方に長くした状態に配置されている。
【００３１】
また、右側の掻込ベルト１６Ｒ側における掻込作用側軌跡の平面視での進行方向に対する傾斜角度θ１は、左側の掻込作用側軌跡の傾斜角度θ２よりも小さくなるように構成されている。
【００３２】
掻込ベルト１６Ｌ，１６Ｒの下側位置には、分草幅内の外側部位から穀稈を導入案内して該掻込ベルトの掻込搬送圏内に案内する掻込ガイド片２３Ｌ，２３Ｒが設けられ、そして、それらの後端部は左側の掻込ベルト１６Ｌの掻込ベルトカバー２４の後方まで延設している。なお、掻込ガイド片２３Ｌ，２３Ｒの前端は左右の分草支持フレーム２０Ｌ，２０Ｒに固着している。なお、掻込ガイド片２３Ｒ先端部の取付面を平面視で進行方向と同じくし、分草具を閉側に引っ張る引っ張りスプリング２１の中心軸位置よりも平面視で内側に配置する構成としている。
【００３３】
また、掻込ベルト１６のラグ先端軌跡は、掻込ガイド片２３Ｌ，２３Ｒの作用開始点よりも前側となるよう配置されている。
【００３４】
左右の引起しケースを連結する連結パイプ２５は、左右の分草支持フレーム２０Ｌ，２０Ｒに固着している。掻込ガイド片を連結する前方部ステーは連結パイプ２５に配置し、掻込ガイド片連結面より垂直方向に立設し、引っ張りスプリング２１の上方に配置されるようにＬ型形状のステー２７に構成し、強度アップと下部への作物稈落下を防止する構成としている。
【００３５】
掻込ラグ軌跡を作物条件によって変更できるように掻込ベルトカバー２４の先端位置を後端位置を中心に回動可能に構成している。掻込ベルトカバーの回動調節は、連結パイプ２５の前側に設けたステーに複数の取付穴又は長穴を設けて位置調節する構成としている。
【００３６】
また、掻込ベルトカバー２４と連結パイプ２５の後方に取付ステーを配置し、それぞれを複数の穴又は長穴を有した別プレートなどで連結する構成でも可能である。なお、掻込ベルトカバーと複数の穴又は長穴を有した別プレートを一体化する構成としてもよい。
【００３７】
図７に示す実施例において、左右の掻込ベルト１６Ｌ，１６Ｒの間には、掻込ラグ軌跡圏内へガイドする掻込ガイド棒２６を対向配置し、基端側を中分草支持フレーム２０Ｃに固着した構成例が示されている。
【符号の説明】
【００３８】
１２    引起しラグ
１３Ｌ  左引起し装置（他方側の引起し装置）
１３Ｒ  右引起し装置（一方側の引起し装置）
Ｋ１    横搬送域
１４    刈刃装置
１５    掻込ラグ
１６    左掻込ベルト
１６    右掻込ベルト
Ｋ２    横送り経路
１７    掻込スターホイル
２３Ｌ  左掻込ガイド片
２３Ｒ  右掻込ガイド片
【図１】
2019092467.tif 000003
【図２】
2019092467.tif 000004
【図３】
2019092467.tif 000005
【図４】
2019092467.tif 000006
【図５】
2019092467.tif 000007
【図６】
2019092467.tif 000008
【図７】
2019092467.tif 000009
【図８】
2019092467.tif 000010